(57)【要約】 【課題】部品点数を増加させることなく、静電気による悪影響を抑制する。【解決手段】タッチパネル付き表示装置は、表示パネルと、表示パネルを内部に収容し、表示パネルの画面エリアを露出させる開口を有した導電性のケースと、ケースの上面に対して表示パネルが配置された側とは反対側に、開口に対向配置された状態で前記ケース上に固定されたタッチパネルとを備えている。ケースには、当該ケースの少なくとも一部が、ケースの上面からタッチパネルが配置された側に突出した突出部が形成されている。タッチパネルは、当該タッチパネルの側面と、突出部とが対向するようにケースに固定されている。【選択図】図２
2011180190.tif 000002
【特許請求の範囲】
【請求項１】
表示パネルと、
前記表示パネルを内部に収容し、前記表示パネルの画面エリアを露出させる開口を有した導電性のケースと、
前記ケースの上面に対して前記表示パネルが配置された側とは反対側に、前記開口に対向配置された状態で前記ケース上に固定されたタッチパネルとを備え、
前記ケースには、当該ケースの少なくとも一部が、前記ケースの上面から前記タッチパネルが配置された側に突出した突出部が形成されていて、
前記タッチパネルは、当該タッチパネルの側面と、前記突出部とが対向するように前記ケースに固定されていることを特徴とするタッチパネル付き表示装置。
【請求項２】
請求項１記載のタッチパネル付き表示装置において、
前記突出部は、前記ケースの少なくとも一部を、前記ケースに対して前記タッチパネルが配置された側に折り曲げることにより形成されていることを特徴とするタッチパネル付き表示装置。
【請求項３】
請求項１又は２記載のタッチパネル付き表示装置において、
前記突出部の先端は、前記タッチパネルの前記表示パネルが配置された側である背面と、前記タッチパネルの前記背面とは反対側である上面との間に配置されていることを特徴とするタッチパネル付き表示装置。
【請求項４】
請求項１〜３のいずれか一項に記載のタッチパネル付き表示装置において、
前記突出部の先端と前記タッチパネルにおける前記表示パネルとは反対側の面とは、同じ高さとなるように配置されていることを特徴とするタッチパネル付き表示装置。
【請求項５】
請求項１〜３のいずれか一項に記載のタッチパネル付き表示装置において、
前記タッチパネルは、少なくとも一枚の絶縁基板の一面上に導電膜が形成されたものであり、
前記突出部の先端と前記導電膜とは、同じ高さとなるように配置されていることを特徴とするタッチパネル付き表示装置。
【請求項６】
請求項１〜５のいずれか一項に記載のタッチパネル付き表示装置において、
前記突出部の一部と前記タッチパネルとが当接していることを特徴とするタッチパネル付き表示装置。
【請求項７】
請求項１〜６のいずれか一項に記載のタッチパネル付き表示装置において、
前記表示パネル及び前記タッチパネルはそれぞれ矩形状であり、
前記表示パネルは、当該表示パネルの四つの縁部のうち、少なくとも一つの縁部に、前記表示パネルの表示を行うための駆動回路が搭載された駆動回路搭載領域を有し、
前記突出部は、前記タッチパネルの四つの側面のうち、前記表示パネルの少なくとも一つの縁部に対応する少なくとも一つの側面と対向するように、配置されていることを特徴とするタッチパネル付き表示装置。
【請求項８】
請求項１〜７のいずれか一項に記載のタッチパネル付き表示装置において、
前記タッチパネルは矩形状であり、前記突出部は、前記タッチパネルの四つの側面のうち、一つの側面とそれぞれ対向するように、少なくとも二つ形成されていることを特徴とするタッチパネル付き表示装置。
【請求項９】
請求項１〜８のいずれか一項に記載のタッチパネル付き表示装置において、
前記タッチパネルは矩形状であり、前記突出部は、前記タッチパネルの四つの側面のうち、隣接する二つの側面とそれぞれ対向するように、少なくとも二つ形成されていることを特徴とするタッチパネル付き表示装置。
【請求項１０】
表示パネルを内部に収容し、前記表示パネルの画面エリアを露出させる開口を有した導電性のケースと、
前記ケースの上面に対して前記表示パネルが配置された側とは反対側に、前記開口に対向配置された状態で前記ケースに固定されたタッチパネルとを備え、
前記ケースには、当該ケースの少なくとも一部が、該ケースの上面から前記タッチパネルが配置された側に突出した突出部が形成されていて、
前記タッチパネルは、当該タッチパネルの側面と、前記突出部とが対向するように前記ケースに固定されていることを特徴とする静電防止構造。
【発明の詳細な説明】
【技術分野】
【０００１】
本発明は、タッチパネル付き表示装置及び静電防止構造に関する。
【背景技術】
【０００２】
従来、例えば液晶表示パネル等の表示パネルとバックライトとを保護する導電性の筐体を介在させて、表示パネル上にタッチパネルを搭載したタッチパネル付き表示装置が知られている。このようなタッチパネル付き表示装置においては、静電気による悪影響を抑制するために、タッチパネルを構成する透明電極のうち、貼り合わせ用の粘着剤の配置箇所から露出している部分と筐体とを導通させる導電体が別途設けられている（例えば特許文献１参照）。
【先行技術文献】
【特許文献】
【０００３】
【特許文献１】特開２００２−３２３６９１号公報
【発明の概要】
【発明が解決しようとする課題】
【０００４】
ところで、他の電子機器と同様にタッチパネル付き表示装置においても部品点数の削減が望まれている。
本発明の課題は、部品点数を増加させることなく、静電気による悪影響を抑制することである。
【課題を解決するための手段】
【０００５】
以上の課題を解決するため、本発明の一の態様によれば、
表示パネルと、
前記表示パネルを内部に収容し、前記表示パネルの画面エリアを露出させる開口を有した導電性のケースと、
前記ケースの上面に対して前記表示パネルが配置された側とは反対側に、前記開口に対向配置された状態で前記ケース上に固定されたタッチパネルとを備え、
前記ケースには、当該ケースの少なくとも一部が、前記ケースの上面から前記タッチパネルが配置された側に突出した突出部が形成されていて、
前記タッチパネルは、当該タッチパネルの側面と、前記突出部とが対向するように前記ケースに固定されていることを特徴とするタッチパネル付き表示装置が提供される。
【０００６】
また、上記タッチパネル付き表示装置において、好ましくは、前記突出部は、前記ケースの少なくとも一部を、前記ケースに対して前記タッチパネルが配置された側に折り曲げることにより形成されている。
また、上記タッチパネル付き表示装置において、好ましくは、前記突出部の先端は、前記タッチパネルの前記表示パネルが配置された側である背面と、前記タッチパネルの前記背面とは反対側である上面との間に配置されている。
また、上記タッチパネル付き表示装置において、好ましくは、前記突出部の先端と前記タッチパネルにおける前記表示パネルとは反対側の面とは、同じ高さとなるように配置されている。
また、上記タッチパネル付き表示装置において、好ましくは、前記タッチパネルは、少なくとも一枚の絶縁基板の一面上に導電膜が形成されたものであり、
前記突出部の先端と前記導電膜とは、同じ高さとなるように配置されている。
また、上記タッチパネル付き表示装置において、好ましくは、前記突出部の一部と前記タッチパネルとが当接している。
また、上記タッチパネル付き表示装置において、好ましくは、前記表示パネル及び前記タッチパネルはそれぞれ矩形状であり、
前記表示パネルは、当該表示パネルの四つの縁部のうち、少なくとも一つの縁部に、前記表示パネルの表示を行うための駆動回路が搭載された駆動回路搭載領域を有し、
前記突出部は、前記タッチパネルの四つの側面のうち、前記表示パネルの少なくとも一つの縁部に対応する少なくとも一つの側面と対向するように、配置されている。
また、上記タッチパネル付き表示装置において、好ましくは、前記タッチパネルは矩形状であり、前記突出部は、前記タッチパネルの四つの側面のうち、一つの側面とそれぞれ対向するように、少なくとも二つ形成されている。
また、上記タッチパネル付き表示装置において、好ましくは、前記タッチパネルは矩形状であり、前記突出部は、前記タッチパネルの四つの側面のうち、隣接する二つの側面とそれぞれ対向するように、少なくとも二つ形成されている。
【０００７】
本発明の他の態様によれば、
表示パネルを内部に収容し、前記表示パネルの画面エリアを露出させる開口を有した導電性のケースと、
前記ケースの上面に対して前記表示パネルが配置された側とは反対側に、前記開口に対向配置された状態で前記ケースに固定されたタッチパネルとを備え、
前記ケースには、当該ケースの少なくとも一部が、該ケースの上面から前記タッチパネルが配置された側に突出した突出部が形成されていて、
前記タッチパネルは、当該タッチパネルの側面と、前記突出部とが対向するように前記ケースに固定されていることを特徴とする静電防止構造が提供される。
【発明の効果】
【０００８】
本発明によれば、部品点数を増加させることなく、静電気による悪影響を抑制することができる。
【図面の簡単な説明】
【０００９】
【図１】本実施形態のタッチパネル付き表示装置の要部構成を示す斜視図である。
【図２】図１のII−II切断線に沿った断面図である。
【図３】図２のタッチパネル付き表示装置の変形例を示す断面図である。
【図４】図２のタッチパネル付き表示装置の変形例を示す断面図である。
【図５】図２のタッチパネル付き表示装置の変形例を示す断面図である。
【図６】図１のタッチパネル付き表示装置の変形例を示す正面図である。
【発明を実施するための形態】
【００１０】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１１】
図１は本実施形態のタッチパネル付き表示装置の要部構成を示す正面図である。図２は図１のII−II切断線に沿った断面図である。図１及び図２に示すように、タッチパネル付き表示装置１は、表示パネル２と、タッチパネル３、筐体４とを有していて、本発明に係る静電防止構造が適用されている。
【００１２】
表示パネル２は、例えば矩形状の液晶表示パネルであり、予め定めた間隙を設けて対向配置された一対の透明基板２１，２２を備えている。これら透明基板２１，２２間の間隙には液晶（図示省略）が封入されている。一対の透明基板２１，２２の互いに向き合う内面には、第一と第二の透明電極（図示省略）がそれぞれ互いに対向した状態で設けられている。第一と第二の透明電極は、電圧の印加により液晶層の液晶分子の配向状態を変化させて光の透過を制御する複数の画素をマトリクス状に形成している。また、観察側の透明基板２１の外面には偏光板２３が貼り付けられている。他方、背面側の透明基板２２の外面にも偏光板（図示省略）が貼り付けられている。また、表示パネル２の四つの縁部のうち、一つの縁部には、観察側の透明基板２１が背面側の透明基板２２から張り出した張出部２４が設けられている。張出部２４には、上記の透明電極間に駆動電圧を印加して表示パネル２の表示を行う駆動回路２５が搭載されている。つまり、張出部２４が駆動回路搭載領域である。また、張出部２４には、駆動回路２５に外部回路からの制御信号を供給するためのフレキシブル配線基板（図示省略）が接続されている。
【００１３】
タッチパネル３は、例えば矩形状の静電容量式のタッチパネルである。タッチパネル３は、透明な絶縁基板３１と、絶縁基板３１の観察側の面に形成された導電膜からなる第一透明電極３２と、絶縁基板３１の背面側の面に形成された導電膜からなる第二透明電極３３とを有している。そして、タッチパネル３の観察側の面には、絶縁基板３１及び第一透明電極３２を覆うように透明樹脂３４が重ねられている。同様に、タッチパネル３の背面側の面にも、絶縁基板３１及び第二透明電極３３を覆うように透明樹脂３５が重ねられている。
また、タッチパネル３の一辺には、第一透明電極３２及び第二透明電極３３からの電気信号を外部に出力するためのフレキシブル配線基板３６が接続されている。
【００１４】
筐体４は、表示パネル２が固定された樹脂フレーム４５と、当該樹脂フレーム４５に係合された例えば金属からなる導電性のケース４６とを有し、表示パネル２を内部に収容している。筐体４のケース４６には、表示パネル２の画面エリアＧを露出させる開口４１が設けられている。この開口４１に対向するように、ケース４６の観察側の表面にはタッチパネル３が配置され、両面テープ４２により固定されている。このようにケース４６は、その一部が表示パネル２とタッチパネル３との間に介在されている。この状態では、タッチパネル３は、ケース４６に対して表示パネル２が配置された側とは反対側に、開口４１に対向配置された状態でケース４６に固定されている。
【００１５】
筐体４のケース４６には、当該ケース４６の少なくとも一部が、ケース４６の表面４４からタッチパネル３が配置された側（観察側）に突出した突出部４３が二つ、所定の間隔を空けて設けられている。各突出部４３は、ケース４６の四つの縁部のうち、張出部２４に対向する縁部４ａに配置されている。これにより、突出部４３は、タッチパネル３の四つの側面のうち、表示パネル２の張出部２４が形成された一つの縁部に対応する少なくとも一つの側面３７と対向するように配置されている。具体的には、突出部４３はケース４６の一部を、ケース４６における観察側の表面４４に対して垂直となるように観察側に折り曲げることにより形成されている。突出部４３は、先端が先細るように略三角形状に形成されている。突出部４３の先端の高さは、タッチパネル３における表示パネル２とは反対側（観察側）の上面３８の高さと略同一となるように配置されている。ここで、本明細書において、ケース４６における観察側の表面４４を含む平面からの距離を高さという。したがって、この場合、突出部４３の先端までの高さＨ１と、タッチパネル３の観察側の上面３８までの高さＨ２とがほぼ同一となる。
【００１６】
次に、本実施形態のタッチパネル付き表示装置１の作用について説明する。
タッチパネル３に静電気が帯電すると、その静電気はタッチパネル３の観察側の上面３８を介してケース４６の突出部４３に伝播する。これにより、静電気がタッチパネル３の導電体（第一透明電極３２及び第二透明電極３３）に流れてしまうことを防止することができ、タッチパネル３のフレキシブル配線基板３６に接続された回路が静電気の影響で破壊されてしまうことを抑制することができる。
【００１７】
以上のように、本実施形態のタッチパネル付き表示装置１によれば、タッチパネル３の側面３７と突出部４３とが対向するように、タッチパネル３がケース４６に固定されているので、タッチパネル３に帯電した静電気を突出部４３に伝播させることができ、静電気の悪影響を抑制することができる。そして、突出部４３がケース４６に一体的に形成されているので、従来のような静電気抑制用の部材を別途取り付ける場合と比べて部品点数を削減することができる。
【００１８】
また、ケース４６の少なくとも一部を観察側に折り曲げることにより突出部４３が形成されているので、突出部４３を簡単に形成することができる。
また、突出部４３の先端とタッチパネル３の観察側の上面３８とが略同一の高さであるので、タッチパネル３の観察側の上面３８に帯電した静電気を突出部４３に効率的に伝播させることができる。
特に、突出部４３は先端が先細る形状であるので、タッチパネル３に帯電した静電気をより確実に伝播させることができる。
【００１９】
なお、本発明は上記実施形態に限らず適宜変更可能である。以下の説明において、上記実施形態と同一箇所においては同一符号を付してその説明を省略する。
例えば、上記実施形態では、表示パネル２として液晶表示パネルを例示して説明したが、有機ＥＬ表示パネル等を用いることも可能である。
また、上記実施形態では、タッチパネル３として静電容量式のタッチパネルを例示して説明したが、少なくとも一枚の絶縁基板の一面上に導電膜が形成されたものであれば如何なるタッチパネルでも適用可能である。静電容量式以外のタッチパネルとしては、例えば抵抗膜方式のタッチパネル等が挙げられる。
【００２０】
また、上記実施形態では、突出部４３の先端とタッチパネル３の観察側の上面３８とが略同一の高さである場合を例示して説明したが、例えば図３に示すタッチパネル付き表示装置１Ａのように突出部４３ａの先端とタッチパネル３の第一透明電極３２とを略同一の高さに配置することも可能である。タッチパネル３の観察側の上面３８に帯電した静電気は、第一透明電極３２に伝導してしまう場合もある。突出部４３ａの先端とタッチパネル３の第一透明電極３２とを略同一の高さに配置してれば、第一透明電極３２に伝導した静電気を突出部４３ａに伝播させやすくすることができる。
【００２１】
ここで、突出部４３の先端とタッチパネル３の観察側の上面３８とが略同一の高さであったり、突出部４３ａの先端とタッチパネル３の第一透明電極３２とが略同一の高さであったりと説明した通り、各組み合わせは同じ高さでなくともよい。突出部４３の先端とタッチパネル３の観察側の上面３８とが多少ずれていても、突出部４３ａの先端とタッチパネル３の第一透明電極３２とが多少ずれていてもよい。この場合、突出部４３の先端が、少なくともタッチパネル３の観察側である上面３８と、タッチパネル３の背面３９との間であって、タッチパネル３に帯電した静電気が突出部４３に誘導されやすい範囲でずれていることが望まれる。
【００２２】
そして、上記実施形態では、タッチパネル３の側面３７と突出部４３とが所定の間隔を空けて対向している場合を例示して説明したが、これらは当接していてもよい。以下、具体例を示すと、図４に示すタッチパネル付き表示装置１Ｂでは、突出部４３ｂの先端がタッチパネル３の側面３７における観察側端部に当接している。また、図５に示すタッチパネル付き表示装置１Ｃでは、突出部４３ｃの先端が、タッチパネル３の側面３７における第一透明電極３２の対向位置に当接している。このように、タッチパネル３の側面３７と突出部４３ｂ，４３ｃとが当接していれば静電気が直接突出部４３ｂ，４３ｃに伝播することになり、静電気による悪影響をより確実に防止することができる。
また、当接させることができれば、組立時にタッチパネル３の位置決めにも突出部４３ｂ，４３ｃを用いることが可能となる。
なお、図４に示す点線部Ｔのように、タッチパネル３の側面３７の観察側端部から第一透明電極３２にかけて連続して当接するように、突出部４３ｂを形成してもよい。この場合、タッチパネル３の観察側の上面３８に帯電した静電気と、第一透明電極３２に伝導した静電気とを直接突出部４３ｂに伝播させることが可能となる。
【００２３】
また、突出部４３ｂ，４３ｃのように傾けなくとも、突出部４３，４３ａの全体に当接するようにタッチパネル３を配置することも可能である。こうした場合と、突出部４３ｂ，４３ｃのようにタッチパネル３の側面３７に向けて傾けた形状とする場合とを比較すると、後者の場合はどうしても突出部４３ｂ，４３ｃの基端部とタッチパネル３の側面３７との間に所定の隙間が必要となる。このため、ケース４６の四つの縁部のうち、張出部２４に対向する縁部４ａ以外の三つの縁部に突出部４３ｂ，４３ｃを設ける場合には、少なくとも前記隙間と突出部４３ｂ、４３ｃの厚みとを加えた幅分だけのスペースが必要となる。つまり、それだけ装置全体が大型化してしまう。
ところで、上述したように突出部４３ｂ，４３ｃは、ケース４６の四つの縁部のうち、張出部２４に対向する縁部４ａに形成されている。この縁部４ａは他の縁部と比べてスペース上余裕があるので、この部分を大型化しなくともタッチパネル３の側面３７に向けて傾いた形状の突出部４３ｂ，４３ｃを設けることができる。これにより突出部４３ｂ，４３ｃの形状の自由度を高めることが可能となる。また、突出部４３ｄは少なくとも１つ形成されていればよい。
【００２４】
なお、図６に示すタッチパネル付き表示装置１Ｄのように、筐体４の四つの縁部のうち、張出部２４に対向する縁部４ａ以外の三つの縁部にもスペース上余裕がある場合には、タッチパネル３の四つの側面のうち、隣接する二つの側面とそれぞれ対向するように、突出部４３ｄを少なくとも二つ形成することも可能である。こうした場合、二方向からの位置決めが可能となる。
【符号の説明】
【００２５】
１      タッチパネル付き表示装置（静電防止構造）
２      表示パネル
３      タッチパネル
４      筐体
４ａ    縁部
２４      張出部（駆動回路搭載領域）
２５      駆動回路
３１      絶縁基板
３２      第一透明電極（導電膜）
３３      第二透明電極
３４      透明樹脂
３５      透明樹脂
３７      側面
３８      上面
３９      背面
４１      開口
４３      突出部
４４      表面（ケースの上面）
４５      樹脂フレーム
４６      ケース
Ｇ      画面エリア
【図１】
2011180190.tif 000003
【図２】
2011180190.tif 000004
【図３】
2011180190.tif 000005
【図４】
2011180190.tif 000006
【図５】
2011180190.tif 000007
【図６】
2011180190.tif 000008
【手続補正書】
【提出日】平成23年1月20日(2011.1.20)
【手続補正１】
【補正対象書類名】明細書
【補正対象項目名】０００５
【補正方法】変更
【補正の内容】
【０００５】
以上の課題を解決するため、本発明の一の態様によれば、
表示パネルと、
前記表示パネルを内部に収容し、前記表示パネルの所定領域を露出させる開口が設けられた導電性のケースと、
一対の主面間に厚みを有し、前記表示パネルとの間に前記ケースのうちの前記開口の周縁部が介在し且つ前記一対の主面が前記開口に重なるように配置されたタッチパネルとを備え、
前記ケースには、当該ケースの一部が、前記タッチパネルが配置された側に突出した突出部が形成されていて、
前記タッチパネルは、当該タッチパネルの側面と、前記突出部とが対向するように配置されていることを特徴とするタッチパネル付き表示装置が提供される。
【手続補正２】
【補正対象書類名】明細書
【補正対象項目名】０００６
【補正方法】変更
【補正の内容】
【０００６】
また、上記タッチパネル付き表示装置において、好ましくは、前記突出部は、前記ケースの一部を、前記ケースに対して前記タッチパネルが配置された側に折り曲げることにより形成されている。
また、上記タッチパネル付き表示装置において、好ましくは、前記突出部の先端の高さが、前記タッチパネルの前記一対の主面のうちの一方の主面の高さよりも高く、該一対の主面のうちの他方の主面の高さよりも低い。
また、上記タッチパネル付き表示装置において、好ましくは、前記突出部の先端と前記タッチパネルにおける前記表示パネルとは反対側の主面が、同じ高さとなるように配置されている。
また、上記タッチパネル付き表示装置において、好ましくは、前記タッチパネルは、少なくとも一枚の絶縁基板の一面上に導電膜が形成されたものであり、
前記突出部の先端と前記導電膜が、同じ高さとなるように配置されている。
また、上記タッチパネル付き表示装置において、好ましくは、前記突出部と前記タッチパネルとが当接している。
また、上記タッチパネル付き表示装置において、好ましくは、前記表示パネル及び前記タッチパネルはそれぞれ矩形状であり、
前記表示パネルは、当該表示パネルの四つの縁部のうち、少なくとも一つの縁部に、前記表示パネルの表示を行うための駆動回路が搭載された駆動回路搭載領域を有し、
前記突出部は、前記タッチパネルの四つの側面のうち、前記表示パネルの前記少なくとも一つの縁部に対応する少なくとも一つの側面と対向するように、配置されている。
また、上記タッチパネル付き表示装置において、好ましくは、前記タッチパネルは矩形状であり、前記突出部は、前記タッチパネルの四つの側面のうち、一つの側面と対向するように、少なくとも二つ形成されている。
また、上記タッチパネル付き表示装置において、好ましくは、前記タッチパネルは矩形状であり、前記突出部は、前記タッチパネルの四つの側面のうち、隣接する二つの側面と対向するように、少なくとも二つ形成されている。
【手続補正３】
【補正対象書類名】明細書
【補正対象項目名】０００７
【補正方法】変更
【補正の内容】
【０００７】
本発明の他の態様によれば、
表示パネルを内部に収容し、前記表示パネルの所定領域を露出させる開口が設けられた導電性のケースと、
一対の主面間に厚みを有し、前記表示パネルとの間に前記ケースのうちの前記開口の周縁部が介在し且つ前記一対の主面が前記開口に重なるように配置されたタッチパネルとを備え、
前記ケースには、当該ケースの一部が、前記タッチパネルが配置された側に突出した突出部が形成されていて、
前記タッチパネルは、当該タッチパネルの側面と、前記突出部とが対向するように配置されていることを特徴とする静電防止構造が提供される。
【手続補正４】
【補正対象書類名】明細書
【補正対象項目名】００１３
【補正方法】変更
【補正の内容】
【００１３】
タッチパネル３は、例えば矩形状の静電容量式のタッチパネルである。タッチパネル３は、透明な絶縁基板３１と、絶縁基板３１の観察側の面に形成された導電膜からなる第一透明電極３２と、絶縁基板３１の背面側の面に形成された導電膜からなる第二透明電極３３とを有している。そして、タッチパネル３の観察側の面には、絶縁基板３１及び第一透明電極３２を覆うように透明樹脂３４が重ねられている。同様に、タッチパネル３の背面側の面にも、絶縁基板３１及び第二透明電極３３を覆うように透明樹脂３５が重ねられている。このように、タッチパネル３は一対の主面を有し且つ該一対の主面間に厚みを有している。ここで、一対の主面とはタッチパネル３の観察側の面及び背面側の面のことである。
また、タッチパネル３の一辺には、第一透明電極３２及び第二透明電極３３からの電気信号を外部に出力するためのフレキシブル配線基板３６が接続されている。
【手続補正５】
【補正対象書類名】明細書
【補正対象項目名】００１５
【補正方法】変更
【補正の内容】
【００１５】
筐体４のケース４６には、当該ケース４６の少なくとも一部が、ケース４６の表面４４からタッチパネル３が配置された側（観察側）に突出した突出部４３が二つ、所定の間隔を空けて設けられている。各突出部４３は、ケース４６の四つの縁部のうち、張出部２４に対向する縁部４ａに配置されている。これにより、突出部４３は、タッチパネル３の四つの側面のうち、表示パネル２の張出部２４が形成された一つの縁部に対応する少なくとも一つの側面３７と対向するように配置されている。具体的には、突出部４３はケース４６の一部を、ケース４６における観察側の表面４４に対して垂直となるように観察側に折り曲げることにより形成されている。突出部４３は、先端が先細るように略三角形状に形成されている。突出部４３の先端の高さは、タッチパネル３における表示パネル２とは反対側（観察側）の上面３８の高さと略同一となるように配置されている。ここで、本明細書において、ケース４６における観察側の表面４４を含む平面からの距離を高さという。したがって、この場合、突出部４３の先端までの高さＨ１と、タッチパネル３の観察側の上面３８までの高さＨ２とがほぼ同一となる。また、上述のタッチパネル３の厚みとは、高さ方向に沿った、タッチパネル３の長さのことである。
【手続補正６】
【補正対象書類名】特許請求の範囲
【補正対象項目名】全文
【補正方法】変更
【補正の内容】
【特許請求の範囲】
【請求項１】
表示パネルと、
前記表示パネルを内部に収容し、前記表示パネルの所定領域を露出させる開口が設けられた導電性のケースと、
一対の主面間に厚みを有し、前記表示パネルとの間に前記ケースのうちの前記開口の周縁部が介在し且つ前記一対の主面が前記開口に重なるように配置されたタッチパネルとを備え、
前記ケースには、当該ケースの一部が、前記タッチパネルが配置された側に突出した突出部が形成されていて、
前記タッチパネルは、当該タッチパネルの側面と、前記突出部とが対向するように配置されていることを特徴とするタッチパネル付き表示装置。
【請求項２】
請求項１記載のタッチパネル付き表示装置において、
前記突出部は、前記ケースの一部を、前記ケースに対して前記タッチパネルが配置された側に折り曲げることにより形成されていることを特徴とするタッチパネル付き表示装置。
【請求項３】
請求項１又は２記載のタッチパネル付き表示装置において、
前記突出部の先端の高さが、前記タッチパネルの前記一対の主面のうちの一方の主面の高さよりも高く、該一対の主面のうちの他方の主面の高さよりも低いことを特徴とするタッチパネル付き表示装置。
【請求項４】
請求項１〜３のいずれか一項に記載のタッチパネル付き表示装置において、
前記突出部の先端と前記タッチパネルにおける前記表示パネルとは反対側の主面が、同じ高さとなるように配置されていることを特徴とするタッチパネル付き表示装置。
【請求項５】
請求項１〜３のいずれか一項に記載のタッチパネル付き表示装置において、
前記タッチパネルは、少なくとも一枚の絶縁基板の一面上に導電膜が形成されたものであり、
前記突出部の先端と前記導電膜が、同じ高さとなるように配置されていることを特徴とするタッチパネル付き表示装置。
【請求項６】
請求項１〜５のいずれか一項に記載のタッチパネル付き表示装置において、
前記突出部と前記タッチパネルとが当接していることを特徴とするタッチパネル付き表示装置。
【請求項７】
請求項１〜６のいずれか一項に記載のタッチパネル付き表示装置において、
前記表示パネル及び前記タッチパネルはそれぞれ矩形状であり、
前記表示パネルは、当該表示パネルの四つの縁部のうち、少なくとも一つの縁部に、前記表示パネルの表示を行うための駆動回路が搭載された駆動回路搭載領域を有し、
前記突出部は、前記タッチパネルの四つの側面のうち、前記表示パネルの前記少なくとも一つの縁部に対応する少なくとも一つの側面と対向するように、配置されていることを特徴とするタッチパネル付き表示装置。
【請求項８】
請求項１〜７のいずれか一項に記載のタッチパネル付き表示装置において、
前記タッチパネルは矩形状であり、前記突出部は、前記タッチパネルの四つの側面のうち、一つの側面と対向するように、少なくとも二つ形成されていることを特徴とするタッチパネル付き表示装置。
【請求項９】
請求項１〜８のいずれか一項に記載のタッチパネル付き表示装置において、
前記タッチパネルは矩形状であり、前記突出部は、前記タッチパネルの四つの側面のうち、隣接する二つの側面と対向するように、少なくとも二つ形成されていることを特徴とするタッチパネル付き表示装置。
【請求項１０】
表示パネルを内部に収容し、前記表示パネルの所定領域を露出させる開口が設けられた導電性のケースと、
一対の主面間に厚みを有し、前記表示パネルとの間に前記ケースのうちの前記開口の周縁部が介在し且つ前記一対の主面が前記開口に重なるように配置されたタッチパネルとを備え、
前記ケースには、当該ケースの一部が、前記タッチパネルが配置された側に突出した突出部が形成されていて、
前記タッチパネルは、当該タッチパネルの側面と、前記突出部とが対向するように配置されていることを特徴とする静電防止構造。